(57)【要約】【課題】複数種別の貨幣を収納する収納部を備えた貨幣処理装置において、収納部における所定種別以外の貨幣の収納量を確保可能にする。【解決手段】貨幣処理装置において、識別部１１は、処理する貨幣を識別する。収納部１９は、識別部１１による識別結果、または、当該貨幣処理装置による処理結果のうち少なくともいずれかに基づき、複数の種別の貨幣を収納する。記憶部４０は、複数の種別のうち少なくとも１以上の種別について、収納部１９への貨幣の収納上限量を記憶している。【選択図】図２
2017058845.tif 000002
【特許請求の範囲】
【請求項１】
貨幣を処理する貨幣処理装置であって、
処理する貨幣を識別する識別部と、
前記識別部による識別結果、または、当該貨幣処理装置による処理結果のうち少なくともいずれかに基づき、複数の種別の貨幣を収納する収納部と、
前記複数の種別のうち少なくとも１以上の種別について、前記収納部への貨幣の収納上限量を記憶する記憶部とを備えた
貨幣処理装置。
【請求項２】
請求項１記載の貨幣処理装置において、
処理した貨幣を搬送する搬送部と、
前記記憶部を参照して、前記収納部における前記少なくとも１以上の種別の貨幣の収納量が、前記記憶部に記憶された前記収納上限量を超えないよう、前記搬送部による貨幣の搬送先を制御する搬送制御部とを備えた
ことを特徴とする貨幣処理装置。
【請求項３】
請求項１記載の貨幣処理装置において、
前記記憶部は、前記収納上限量を、当該種別の貨幣の枚数、当該種別の貨幣の金額、または、前記収納部の最大収納量に対する当該種別の貨幣の収納量の割合として、記憶する
ことを特徴とする貨幣処理装置。
【請求項４】
請求項１記載の貨幣処理装置において、
前記記憶部が記憶する前記収納上限量を変更可能である設定制御部を備えた
ことを特徴とする貨幣処理装置。
【請求項５】
請求項１記載の貨幣処理装置において、
貨幣を金種別に収納する金種別収納部を備え、
前記収納部は、前記金種別収納部とは異なる権限下で管理されている
ことを特徴とする貨幣処理装置。
【請求項６】
請求項１記載の貨幣処理装置において、
前記収納部は、貨幣の収納のみを行う収納専用型である
ことを特徴とする貨幣処理装置。
【請求項７】
請求項１記載の貨幣処理装置において、
装置内に貨幣を入金する入金処理において、投入された貨幣を前記収納部に収納すると判断した場合に、当該貨幣が前記少なくとも１以上の種別のいずれかに属しており、かつ、前記収納部における当該種別の収納量が前記収納上限量に達しているとき、当該貨幣をリジェクトし、入金処理を継続する
ことを特徴とする貨幣処理装置。
【請求項８】
請求項１記載の貨幣処理装置において、
装置外に貨幣を出金する出金処理において、出金する貨幣を前記収納部に収納すると判断した場合に、当該貨幣が前記少なくとも１以上の種別のいずれかに属しており、かつ、前記収納部における当該種別の収納量が前記収納上限量に達しているとき、出金処理を停止する
ことを特徴とする貨幣処理装置。
【請求項９】
貨幣を処理する貨幣処理装置であって、
貨幣を投入するための投入部と、
貨幣を投出するための投出部と、
貨幣を金種別に収納する金種別収納部と、
入金処理において前記投入部に投入された貨幣を搬送し、かつ、出金処理において前記金種別収納部から繰り出された貨幣を搬送する搬送部と、
前記搬送部により搬送される貨幣を識別する識別部と、
前記金種別収納部とは別個に設けられており、少なくとも、出金処理において前記識別部によって出金が不適切であると識別された出金リジェクト貨幣を収納する第２収納部と、
少なくとも前記識別部による識別結果に基づいて、前記搬送部による貨幣の搬送先を制御する搬送制御部とを備え、
前記搬送制御部は、
入金処理において、投入された貨幣が所定条件を満たすとき、当該貨幣が前記第２収納部に搬送されるよう前記搬送部を制御し、かつ、前記第２収納部の収納量が入金処理時における設定上限量に達しているとき、当該貨幣の前記第２収納部への搬送を制限する
ことを特徴とする貨幣処理装置。
【請求項１０】
請求項９記載の貨幣処理装置において、
前記所定条件は、
前記金種別収納部における当該貨幣の金種の収納量が上限量に達していること、いずれの前記金種別収納部にも当該貨幣の金種が割り当てられていないこと、または、当該貨幣が前記識別部によって損券と識別されたこと、のうち少なくともいずれか１つを含む
ことを特徴とする貨幣処理装置。
【請求項１１】
請求項９記載の貨幣処理装置において、
前記出金リジェクト貨幣は、当該貨幣処理装置において、前記第２収納部にのみ収納される
ことを特徴とする貨幣処理装置。
【請求項１２】
請求項９記載の貨幣処理装置において、
前記搬送制御部は、入金処理における前記設定上限量に基づく前記第２収納部への貨幣搬送の制限を、解除可能なように構成されている
ことを特徴とする貨幣処理装置。
【請求項１３】
貨幣処理装置において、貨幣を処理する方法であって、
搬送部が、処理された貨幣を搬送し、
識別部が、前記搬送部により搬送されている貨幣を識別し、
搬送制御部が、前記搬送部により搬送された貨幣のうち、前記識別部による識別結果、または、当該貨幣処理装置による処理結果のうち少なくともいずれかに基づき、複数の種別の貨幣を収納部に収納させるよう前記搬送部を制御し、
前記搬送制御部が、前記複数の種別のうち少なくとも１以上の種別について、前記収納部への貨幣の収納上限量を記憶する記憶部を参照して、前記収納部における前記少なくとも１以上の種別の貨幣の収納量が、前記記憶部に記憶された前記収納上限量を超えないよう、前記搬送部による貨幣の搬送先を制御する
ことを特徴とする貨幣処理方法。
【請求項１４】
貨幣処理装置において、貨幣を処理する方法であって、
搬送部が、入金処理において貨幣を搬送し、かつ、出金処理において金種別収納部から繰り出された貨幣を搬送し、
識別部が、前記搬送部により搬送されている貨幣を識別し、
搬送制御部が、出金処理において前記識別部によって出金が不適切であると識別された出金リジェクト貨幣を、前記金種別収納部とは別個に設けられた第２収納部に収納させるよう前記搬送部を制御し、
前記搬送制御部が、入金処理において、投入された貨幣が所定条件を満たすとき、当該貨幣が前記第２収納部に搬送されるよう前記搬送部を制御し、かつ、前記第２収納部の収納量が入金処理時における設定上限量に達しているとき、当該貨幣の前記第２収納部への搬送を制限する
ことを特徴とする貨幣処理方法。
【発明の詳細な説明】
【技術分野】
【０００１】
ここに開示する技術は、貨幣の入金処理や入出金処理を行う貨幣処理装置および貨幣処理方法に関する。
【背景技術】
【０００２】
従来から、銀行等の金融機関に設置され、貨幣の入出金処理を行う貨幣処理装置が知られている。例えば、特許文献１に記載の紙幣処理装置は、入金部に投入された紙幣に対して識別部を用いて金種や真偽等を識別し、適正な紙幣と識別された紙幣を金種毎の収納部へ収納する。また、収納部に収納された紙幣をオペレータからの操作に応じて出金部へ投出する。
【先行技術文献】
【特許文献】
【０００３】
【特許文献１】特開２０１１−１９８１４５号公報
【発明の概要】
【発明が解決しようとする課題】
【０００４】
貨幣処理装置では、１つの収納部に対し、複数の種別の貨幣を収納する場合がある。例えば、特許文献１に記載の紙幣処理装置では、集積部１９を備えている。集積部１９には、リサイクルに適していない紙幣（損券）、収納部が割り当てられていない金種の紙幣、収納部に入りきらない紙幣（入金オーバーフロー紙幣）、装置からの出金時にリジェクトされた紙幣（出金リジェクト紙幣）等が収納される。
【０００５】
しかしながら、複数の種別の貨幣を収納する収納部は、特定の種別の貨幣が大量に収納されてしまうと、フル状態になってしまい、他の種別の貨幣を収納することができなくなる。この場合、収納部に他の種別の貨幣を収納することが必要となる処理について、その実行が困難になる。例えば、特許文献１に記載の紙幣処理装置において、流通量が多い紙幣が投入されたために入金オーバーフロー紙幣が大量に生じ、集積部１９がフルになってしまうと、出金リジェクト紙幣を集積部１９に収納できなくなる。この場合、出金リジェクト紙幣を収納する場所がないため、出金処理ができなくなってしまう。また例えば、複数の金種の貨幣を収納する収納部に、特定の金種の貨幣が大量に収納された場合にも、収納部に他の金種の貨幣を収納できなくなるため、同様の問題が起こり得る。
【０００６】
ここに開示する技術は、かかる点に鑑みてなされたものであり、複数の種別の貨幣を収納する収納部を備えた貨幣処理装置において、収納部における所定種別以外の貨幣の収納量を確保可能にすることを目的とする。
【課題を解決するための手段】
【０００７】
ここに開示する技術は、貨幣を処理する貨幣処理装置であって、処理する貨幣を識別する識別部と、前記搬送部により搬送された貨幣のうち、前記識別部による識別結果、または、当該貨幣処理装置による処理結果のうち少なくともいずれかに基づき、複数の種別の貨幣を収納する収納部と、前記複数の種別のうち少なくとも１以上の種別について、前記収納部への貨幣の収納上限量を記憶する記憶部とを備える。
【０００８】
この構成によると、複数の種別の貨幣を収納する収納部に関して、記憶部は、複数の種別のうち少なくとも１以上の種別について、貨幣の収納上限量を記憶している。このため、収納部において、収納上限量が記憶された所定種別の貨幣の収納量を制限することができるので、複数の種別のうち所定種別以外の種別について、収納部における貨幣の収納量を確保することができる。
【０００９】
前記貨幣処理装置は、処理した貨幣を搬送する搬送部と、前記記憶部を参照して、前記収納部における前記少なくとも１以上の種別の貨幣の収納量が、前記記憶部に記憶された前記収納上限量を超えないよう、前記搬送部による貨幣の搬送先を制御する搬送制御部とを備えた、ものとしてもよい。
【００１０】
この構成によると、搬送制御部によって、収納部における所定種別の貨幣の収納量が、記憶部に記憶された収納上限量を超えないよう、搬送部による貨幣の搬送先が制御されるので、複数の種別のうち所定種別以外の種別について、収納部における貨幣の収納量を確保することができる。
【００１１】
前記記憶部は、前記収納上限量を、当該種別の貨幣の枚数、当該種別の貨幣の金額、または、前記収納部の最大収納量に対する当該種別の貨幣の収納量の割合として、記憶する、としてもよい。
【００１２】
この構成によると、収納部の収納上限量は、貨幣の枚数、貨幣の金額、または、収納部の最大収納量に対する貨幣の収納量の割合として、記憶される。
【００１３】
前記貨幣処理装置は、前記記憶部が記憶する前記収納上限量を変更可能である設定制御部を備えた、ものとしてもよい。
【００１４】
この構成によると、収納部の収納上限量を変更することができる。
【００１５】
前記貨幣処理装置は、貨幣を金種別に収納する金種別収納部を備え、前記収納部は、前記金種別収納部とは異なる権限下で管理されている、としてもよい。
【００１６】
前記収納部は、貨幣の収納のみを行う収納専用型である、としてもよい。
【００１７】
前記貨幣処理装置は、装置内に貨幣を入金する入金処理において、投入された貨幣を前記収納部に収納すると判断した場合に、当該貨幣が前記少なくとも１以上の種別のいずれかに属しており、かつ、前記収納部における当該種別の収納量が前記収納上限量に達しているとき、当該貨幣をリジェクトし、入金処理を継続する、としてもよい。
【００１８】
この構成によると、装置内に貨幣を入金する入金処理において、投入された貨幣を収納部に収納すると判断した場合に、収納部において、当該貨幣が属する種別の収納量が収納上限量に達しているとき、当該貨幣はリジェクトされ、入金処理は継続される。
【００１９】
前記貨幣処理装置は、装置外に貨幣を出金する出金処理において、出金する貨幣を前記収納部に収納すると判断した場合に、当該貨幣が前記少なくとも１以上の種別のいずれかに属しており、かつ、前記収納部における当該種別の収納量が前記収納上限量に達しているとき、出金処理を停止する、としてもよい。
【００２０】
この構成によると、装置外に貨幣を出金する出金処理において、出金する貨幣を収納部に収納すると判断した場合に、収納部において、当該貨幣が属する種別の収納量が収納上限量に達しているとき、出金処理は停止される。
【００２１】
また、ここに開示する技術は、貨幣を処理する貨幣処理装置であって、貨幣を投入するための投入部と、貨幣を投出するための投出部と、貨幣を金種別に収納する金種別収納部と、入金処理において前記投入部に投入された貨幣を搬送し、かつ、出金処理において前記金種別収納部から繰り出された貨幣を搬送する搬送部と、前記搬送部により搬送される貨幣を識別する識別部と、前記金種別収納部とは別個に設けられており、少なくとも、出金処理において前記識別部によって出金が不適切であると識別された出金リジェクト貨幣を収納する第２収納部と、少なくとも前記識別部による識別結果に基づいて、前記搬送部による貨幣の搬送先を制御する搬送制御部とを備える。そして、前記搬送制御部は、入金処理において、投入された貨幣が所定条件を満たすとき、当該貨幣が前記第２収納部に搬送されるよう前記搬送部を制御し、かつ、前記第２収納部の収納量が入金処理時における設定上限量に達しているとき、当該貨幣の前記第２収納部への搬送を制限する。
【００２２】
この構成によると、入金処理において、投入された貨幣が所定条件を満たすとき、搬送制御部は、当該貨幣が、出金リジェクト貨幣を収納する第２収納部に搬送されるよう、搬送部を制御する。ただしこの場合において、第２収納部の収納量が入金処理時における設定上限量に達しているとき、搬送制御部は、当該貨幣の第２収納部への搬送を制限する。このため、第２収納部において、入金処理時における貨幣の収納量を制限することができるので、出金リジェクト貨幣の収納量を確保することができる。入金を制限された貨幣は、例えば、入金リジェクト部にリジェクトされる。
【００２３】
前記貨幣処理装置において、前記所定条件は、前記金種別収納部における当該貨幣の金種の収納量が上限量に達していること、いずれの前記金種別収納部にも当該貨幣の金種が割り当てられていないこと、または、当該貨幣が前記識別部によって損券と識別されたこと、のうち少なくともいずれか１つを含む、としてもよい。
【００２４】
この構成によると、投入された貨幣は、金種別収納部における当該貨幣の金種の収納量が上限量に達しているとき、いずれの金種別収納部にも当該貨幣の金種が割り当てられていないとき、または、当該貨幣が損券と識別されたとき、に、第２収納部に搬送される。
【００２５】
前記貨幣処理装置において、前記出金リジェクト貨幣は、前記第２収納部にのみ収納される、としてもよい。
【００２６】
前記搬送制御部は、入金処理における前記設定上限量に基づく前記第２収納部への貨幣搬送の制限を、解除可能なように構成されている、としてもよい。
【００２７】
この構成によると、入金処理における設定上限量に基づく第２収納部への貨幣搬送の制限を、解除することができる。
【００２８】
また、ここに開示する技術は、貨幣処理装置において、貨幣を処理する方法であって、搬送部が、処理された貨幣を搬送し、識別部が、前記搬送部により搬送されている貨幣を識別し、搬送制御部が、前記搬送部により搬送された貨幣のうち、前記識別部による識別結果、または、当該貨幣処理装置による処理結果のうち少なくともいずれかに基づき、複数の種別の貨幣を収納部に収納させるよう前記搬送部を制御し、前記搬送制御部が、前記収納部に関して、前記複数の種別のうち少なくとも１以上の種別について、前記収納部への貨幣の収納上限量を記憶する記憶部を参照して、前記収納部における前記少なくとも１以上の種別の貨幣の収納量が、前記記憶部に記憶された前記収納上限量を超えないよう、前記搬送部による貨幣の搬送先を制御する。
【００２９】
この構成によると、搬送制御部によって、複数の種別の貨幣を収納する収納部における所定種別の貨幣の収納量が、記憶部に記憶された収納上限量を超えないよう、搬送部による貨幣の搬送先が制御される。これにより、複数の種別のうち所定種別以外の種別について、収納部における貨幣の収納量を確保することができる。
【００３０】
また、ここに開示する技術は、貨幣処理装置において、貨幣を処理する方法であって、搬送部が、入金処理において貨幣を搬送し、かつ、出金処理において金種別収納部から繰り出された貨幣を搬送し、識別部が、前記搬送部により搬送されている貨幣を識別し、搬送制御部が、出金処理において前記識別部によって出金が不適切であると識別された出金リジェクト貨幣を、前記金種別収納部とは別個に設けられた第２収納部に収納させるよう前記搬送部を制御し、前記搬送制御部が、入金処理において、投入された貨幣が所定条件を満たすとき、当該貨幣が前記第２収納部に搬送されるよう前記搬送部を制御し、かつ、前記第２収納部の収納量が入金処理時における設定上限量に達しているとき、当該貨幣の前記第２収納部への搬送を制限する。
【００３１】
この構成によると、入金処理において、投入された貨幣が所定条件を満たすとき、搬送制御部は、当該貨幣が、出金リジェクト貨幣を収納する第２収納部に搬送されるよう、搬送部を制御する。ただしこの場合において、第２収納部の収納量が入金処理時における設定上限量に達しているとき、搬送制御部は、当該貨幣の第２収納部への搬送を制限する。このため、第２収納部において、入金処理時における貨幣の収納量を制限することができるので、出金リジェクト貨幣の収納量を確保することができる。
【発明の効果】
【００３２】
本開示によると、複数種別の貨幣を収納する収納部において、所定種別の貨幣の収納量が収納上限量を超えないよう制御されるので、所定種別以外の種別について貨幣の収納量を確保することができる。また、本開示によると、出金リジェクト貨幣を収納する第２収納部において、入金処理時における貨幣の収納量を制限することができるので、出金リジェクト貨幣の収納量を確保することができる。
【図面の簡単な説明】
【００３３】
【図１】紙幣処理装置の全体構成を示す図
【図２】紙幣処理装置の機能構成を示すブロック図
【図３】収納上限量設定の例
【図４】入金処理時における動作例を示すフローチャート
【図５Ａ】搬送動作を模式的に示す図
【図５Ｂ】搬送動作を模式的に示す図
【図５Ｃ】搬送動作を模式的に示す図
【図６】出金処理時における動作例を示すフローチャート
【図７】収納上限量設定の他の例
【発明を実施するための形態】
【００３４】
以下、貨幣処理装置の実施形態を、図面を参照しながら説明する。なお、以下においては、貨幣処理装置の一例として、紙幣の入出金処理を行う紙幣処理装置を用いて説明する。ただし、ここに開示する技術は、他にも例えば、紙幣の入金処理のみを行う紙幣処理装置に対しても適用することができる。また、硬貨の入出金処理や入金処理を行う硬貨処理装置に対しても適用することができる。
【００３５】
（紙幣処理装置の全体構成）
図１は紙幣処理装置の全体構成を示す図である。図１に示すように、紙幣処理装置１は、識別部１１と、入金部１２と、出金部１３と、入金リジェクト部１４と、一時保留部１５と、搬送部１６と、金種別収納部１８と、回収部１９と、精査カセット２０とを備えている。
【００３６】
識別部１１は、搬送部１６によって搬送される紙幣を識別する。具体的には、識別部１１は、搬送部１６によって搬送される紙幣に対して、金種判定、真偽判定、正損判定、表裏判定といった各種の鑑別を行う。なお、真偽判定とは、紙幣が本物か偽物かを判定することを示し、正損判定とは、本物の紙幣のうち状態のよい紙幣（正券）か汚れや損傷がある紙幣（損券）かを判定することを示す。
【００３７】
入金部１２は、例えば、装置の天面を凹状に窪ませて開口を形成したボックスであり、ボックス内またはその近傍に設けられたローラ等の繰り込み部によって入金紙幣を１枚ずつ装置内部の搬送部１６へと繰り込む。なお、入金紙幣の繰り込み開始は、手動で行ってもよいし自動で行ってもよい。入金部１２は本開示における投入部の一例である。
【００３８】
出金部１３は、例えば、入金部１２と同様に開口が形成されたボックスであり、オペレータからの出金指示に応じて装置内部から投出される出金紙幣を集積する。また、出金部１３は、紙幣処理装置１が収納しないと判断した紙幣すなわちリジェクト紙幣の出金先の１つとしても利用される。出金部１３は本開示における投出部の一例である。
【００３９】
入金リジェクト部１４は、リジェクト紙幣を集積する出金口である。紙幣処理装置１は、リジェクト紙幣の出金先として、出金部１３または入金リジェクト部１４の少なくとも一方を利用する。
【００４０】
一時保留部１５は、例えば、テープ式の収納操出部であり、搬送部１６によって搬送される紙幣を繰り入れて一時的に保留するとともに保留した紙幣を繰り出し可能な収納繰出部である。
【００４１】
搬送部１６は、入金部１２に投入された紙幣を搬送する。搬送部１６は例えば、紙幣を表裏両側から挟持して一枚ずつ搬送するベルトコンベアおよびその駆動部を含む。具体的には、搬送部１６は、識別部１１、入金部１２、出金部１３、入金リジェクト部１４、一時保留部１５、金種別収納部１８、回収部１９および精査カセット２０をベルトコンベアによって相互に接続し、これら各部の間で紙幣の搬送を行う。
【００４２】
また、ベルトコンベアの駆動部は、ベルトコンベアを駆動させるためのローラや搬送部１６の各分岐点に設けられる経路切替部等を含んでいる。経路切替部は、例えば、紙幣をそのまま搬送部１６の下流側へ搬送させる位置と、紙幣を各部（例えば出金部１３や入金リジェクト部１４）へ搬送させる位置との間で揺動する。
【００４３】
金種別収納部１８は、搬送部１６によって搬送される紙幣を金種ごとに収納する複数のカセット１８ａ〜１８ｅを有している。カセット１８ａ〜１８ｅは、収納した紙幣を搬送部１６へ繰り出すための繰出機構を備えている。また、各カセット１８ａ〜１８ｅには、満杯や故障といった収納異常を報知するランプ等のインジケータが設けられている。
【００４４】
ここでは、カセット１８ａに１ドル札、カセット１８ｂに５ドル札、カセット１８ｃに１０ドル札、カセット１８ｄに２０ドル札、カセット１８ｅに５０ドル札がそれぞれ収納されるものとする。ただし、どのカセットにどの金種の紙幣を収納するかは、オペレータによって任意に設定可能である。
【００４５】
回収部１９は、本開示における収納部の一例であり、ここではカセットタイプの構成からなる。ただし金種別収納部１８とは異なり、紙幣の収納のみを行い、操出機構は有しない。この回収部１９には、たとえば、営業終了後において売上金等が収納される。ここで、回収部１９は、例えば、金種別収納部１８とは異なる権限下で管理されているものとしてもよい。その場合、例えば、金種別収納部１８は銀行等の店舗が管理し、回収部１９は警送会社が管理する。
【００４６】
精査カセット２０は、紙幣処理装置１に対して脱着可能な現金カセットであり、紙幣詰まりなどが原因でカセット１８ａ〜１８ｅの収納枚数が不確定となった場合にそのカセット１８ａ〜１８ｅの収納枚数を精査する際に利用される。なお、精査カセット２０は、カセット１８ａ〜１８ｅと同様に紙幣を収納するとともに収納した紙幣を搬送部１６へ繰り出すこともできる。
【００４７】
（機能構成と収納上限量設定）
図２は紙幣処理装置１の機能構成を示すブロック図である。なお、図２では、本実施形態の特徴を説明するために必要な構成要素のみを示しており、他の一般的な構成要素については図示を省略している。
【００４８】
制御部３０は、搬送制御部３１および設定制御部３２を備えている。搬送制御部３１は、識別部１１による識別結果に基づいて、搬送部１６による紙幣の搬送先を制御する。搬送制御部３１は例えば、入金部１２に投入された紙幣が１０ドル札であり、かつ、正券であるとき、この紙幣をカセット１８ｃに収納するよう、搬送部１６を制御する。また、入金部１２に投入された紙幣が、損券であるとき、または、金種別収納部１８に割り当てられていない金種であるとき、この紙幣を回収部１９に収納するよう、搬送部１６を制御する。  また、搬送制御部３１は、回収部１９における紙幣の金種ごとの収納量を管理している
記憶部４０は、回収部１９に関して、紙幣の収納上限量を記憶する。ここでは、記憶部４０は、収納上限量の設定値として、紙幣の制限枚数を記憶するものとする。
【００４９】
設定入力部２１は、図１では図示を省略しているが、例えば、液晶パネルと入力スイッチとの組合せ、あるいは、液晶タッチパネル等によって実現される。設定制御部３２は、設定入力部２１を介した設定入力に従って、記憶部４０が記憶する回収部１９における収納上限量を、設定または変更可能である。ユーザは、設定入力部２１を介して、回収部１９における紙幣の制限枚数の設定を行うことができる。
【００５０】
図３は制限枚数設定値の例である。図３の例では、例えば、５ドル札は３００枚、１０ドル札は３００枚というように、金種ごとに、制限枚数が設定されている。なお、１ドル札については、制限枚数として０枚が設定されており、実質的に無制限になっている。また、回収部１９のトータルの制限枚数として、２５００枚が設定されている。
【００５１】
搬送制御部３１は、記憶部４０を参照して、回収部１９における金種別の紙幣枚数が、記憶部４０に記憶された制限枚数を超えないよう、搬送部１６による紙幣の搬送先を制御する。
【００５２】
また、制御部３０は、紙幣処理装置１に設けられたディスプレイや音声出力装置等の情報出力部２２から、ユーザへのメッセージなどを出力可能である。
【００５３】
なお、制御部３０の機能の一部または全部は、ハードウェアまたはソフトウェアによって実現される。例えば、紙幣処理装置１内に設けられた制御基板上に構成された回路や、記録されたプログラムを実行するマイクロコンピュータ等によって、制御部３０は実現可能である。また、制御部３０は、紙幣処理装置１内の他の制御部と別個に構成されてもよいし、一体に構成されてもかまわない。
【００５４】
（動作例）
図４は入金処理時における動作例を示すフローチャートである。図４において、ユーザが紙幣を入金部１２に入れると、入金部１２は紙幣を１枚ずつ取り込む（Ｓ１１）。取り込まれた紙幣は、搬送部１６によって搬送され、識別部１１によって、その金種、正損等が識別される（Ｓ１２）。
【００５５】
紙幣が正券であり（Ｓ１３でＹｅｓ）、かつ、その金種が、金種別収納部１８のカセット１８ａ〜１８ｅのいずれかが割り当てられたものであるとき（Ｓ１４でＹｅｓ）、図５Ａに示すように、搬送制御部３１は、その紙幣が、カセット１８ａ〜１８ｅのうち割り当てられたカセットに収納されるよう、搬送部１６を制御する（Ｓ１５）。例えば、紙幣が５０ドル札の正券であるとき、その紙幣はカセット１８ｅに収納される。一方、紙幣が損券であるとき（Ｓ１３でＮｏ）、または、紙幣の金種が、金種別収納部１８のカセット１８ａ〜１８ｅがいずれも割り当てられていないとき（Ｓ１４でＮｏ）、ステップＳ１６にすすむ。
【００５６】
ステップＳ１６において、搬送制御部３１は、記憶部４０から、回収部１９の収納上限量を読み出す。ここでは、図３に示したような金種ごとの制限枚数が収納上限量の設定値として読み出される。そして搬送制御部３１は、回収部１９における紙幣の収納量を、記憶部４０から読み出した収納上限量と比較し、回収部１９における紙幣の収納量が収納上限量以内に収まっているか否かを判定する（Ｓ１７）。このとき、回収部１９における紙幣の全体量について収納上限量と比較するとともに、搬送された紙幣の金種の収納量についても、収納上限量と比較する。そして、回収部１９における紙幣の収納量が、全体として、かつ、搬送された紙幣の金種について、収納上限量以内に収まっているときは（Ｓ１７でＹｅｓ）、図５Ｂに示すように、搬送制御部３１は、紙幣が回収部１９に収納されるように、搬送部１６を制御する（Ｓ１８）。一方、回収部１９における紙幣の収納量が収納上限量以内に収まっていないときは（Ｓ１７でＮｏ）、図５Ｃに示すように、搬送制御部３１は、紙幣が入金リジェクト部１４に搬送されるように、搬送部１６を制御する（Ｓ１９）。このような制御によって、入金時において各金種の紙幣は、記憶部４０に設定された収納上限量を超えて回収部１９に収納されることがない。
【００５７】
例えば、取り込んだ紙幣が１００ドル札であるとき、金種別収納部１８のカセット１８ａ〜１８ｅがいずれも割り当てられていないため、ステップＳ１６にすすむ。そして、回収部１９において、紙幣全体の枚数が２５００枚以下であり、かつ、１００ドル札の枚数が１０００枚以下であるときは、その１００ドル札は回収部１９に収納される（Ｓ１８）。一方、回収部１９において、紙幣全体の枚数が２５００枚を超えているとき、または、１００ドル札の枚数が１０００枚を超えているときは、その１００ドル札はリジェクトされる（Ｓ１９）。
【００５８】
以上のような処理を、入金部１２に入れられた紙幣がなくなるまで繰り返し実行する（Ｓ２０）
図６は出金処理時における動作例を示すフローチャートである。図６において、ユーザが出金操作を行うと、金種収納部１８は指定された金種の紙幣を繰り出す（Ｓ３１）。繰り出された紙幣は、搬送部１６によって搬送され、識別部１１によって、識別される（Ｓ３２）。
【００５９】
紙幣が、識別部１１によって出金が適切であると識別されたときは（Ｓ３３でＮｏ）、搬送制御部３１は、その紙幣が出金部１３に搬送されるよう、搬送部１６を制御する（Ｓ３４）。一方、紙幣が、識別部１１によって出金が不適切であると識別されたとき、すなわち、紙幣が出金リジェクト紙幣（リジェクト券）であるときは（Ｓ３３でＹＥＳ）、ステップＳ３５にすすむ。
【００６０】
ステップＳ３５において、搬送制御部３１は、記憶部４０から、回収部１９の収納上限量を読み出す。ここでは、図３に示したような金種ごとの制限枚数が収納上限量の設定値として読み出される。そして搬送制御部３１は、回収部１９における紙幣の収納量を、記憶部４０から読み出した収納上限量と比較し、回収部１９における紙幣の収納量が収納上限量以内に収まっているか否かを判定する（Ｓ３６）。このとき、回収部１９における紙幣の全体量について収納上限量と比較するとともに、出金リジェクト紙幣の金種の収納量についても、収納上限量と比較する。そして、回収部１９における紙幣の収納量が、全体として、かつ、出金リジェクト紙幣の金種について、収納上限量以内に収まっているときは（Ｓ３６でＹｅｓ）、搬送制御部３１は、出金リジェクト紙幣が回収部１９に収納されるように、搬送部１６を制御する（Ｓ３７）。一方、回収部１９における紙幣の収納量が収納上限量以内に収まっていないときは（Ｓ３６でＮｏ）、搬送制御部３１は、出金動作を停止する（Ｓ３８）。ここで、出金動作を停止するのは、出金リジェクト紙幣の搬送先がないと、それ以上出金動作を継続することが困難であるからである。このような制御によって、各金種の紙幣は、記憶部４０に設定された収納上限量を超えて、回収部１９に収納されることがない。
【００６１】
例えば、カセット１８ｃから１０ドル札が出金されるとき、紙幣が出金リジェクト紙幣であるときは、ステップＳ３５にすすむ。そして、回収部１９において、紙幣全体の枚数が２５００枚以下であり、かつ、１０ドル札の枚数が３００枚以下であるときは、出金リジェクト紙幣である１０ドル札は回収部１９に収納される（Ｓ３７）。一方、回収部１９において、紙幣全体の枚数が２５００枚を超えているとき、または、１０ドル札の枚数が３００枚を超えているときは、出金動作が停止される。
【００６２】
以上のような処理を、出金する紙幣がなくなるまで繰り返し実行する（Ｓ３９）
このような構成および動作によって、各金種の紙幣は、記憶部４０に設定された収納上限量を超えて、回収部１９に収納されることがない。すなわち、回収部１９において、収納上限量が記憶された金種の紙幣の収納量を制限することができる。これにより、他の金種について、回収部１９における紙幣の収納量を確保することができる。したがって、特定の金種の紙幣が回収部１９を占めてしまい、他の金種の紙幣を回収部１９に収納できない、という事態を未然に防ぐことができる。
【００６３】
（他の処理の例）
図３の例では、回収部１９の収納上限量を、紙幣の枚数を用いて設定しているが、収納上限量を設定するデータの形態はこれに限られるものではない。例えば、紙幣の金額を用いて設定してもよい。例えば、１０ドル札は上限３０００ドル、５０ドル札は上限１５０００ドル、というように設定してもよい。または、回収部１９の最大収納量に対する収納量の割合を用いて設定してもよい。例えば、５ドル札は上限１２％、２０ドル札は上限２０％、というように設定してもよい。
【００６４】
また、図３の例では、各金種の制限枚数の合計とトータルの制限枚数とが一致していない。すなわち、ここでは、設定制御部３２は、金種別の制限枚数の合計が、トータルの制限枚数と合っていないことを許容する設定になっている。これに対して、設定制御部３２が、金種別の制限枚数の合計がトータルの制限枚数と合っていないと、収納上限量の設定が完了できないような制御を行うようにしてもかまわない。
【００６５】
また、図３の例では、金種別収納部１８に割り当てられた各金種、すなわち、１ドル札、５ドル札、１０ドル札、２０ドル札、５０ドル札に加えて、１００ドル札について、制限枚数が設定されている。ただし、収納上限量を設定する金種の選択パターンはこれに限定されない。例えば、金種別収納部１８に割り当てられた各金種の一部について、収納上限量を設定してもよい。回収部１９に収納される紙幣の金種のうち少なくとも１つについて制限枚数を設定すれば、回収部１９におけるその他の金種の収納量を確保することができる。
【００６６】
また、上の動作では、紙幣を回収部１９に収納する条件は、入金時では、紙幣が損券であること、紙幣が金種別収納部１８に割り当てられていないこと、出金時では、紙幣がリジェクト紙幣であること、とした。ただし、紙幣を回収部１９に収納する条件は、上に挙げたものに限られず、また、上に挙げたものを必須とするものでもない。例えば、入金時において、紙幣の金種が割り当てられたカセットが満杯であり、それ以上紙幣を収納できない状態であること、いわゆる、入金オーバーフロー紙幣であるとき、紙幣を回収部１９に収納するものとしてもよい。
【００６７】
また、その他の処理として、金種別収納部１８から紙幣を回収するために、紙幣を回収部１９に収納する処理もあり得る。この場合、搬送制御部３１は、収納上限量による制限を一時的に外して、紙幣を回収部１９に収納する処理を行うようにしてもかまわない。
【００６８】
また、制御部３０は、回収部１９の収納量が収納上限量に近くなったとき、例えば、ある金種の紙幣の枚数が制限枚数に近づいたとき、情報出力部２２を介してユーザにその旨を通知してもよい。このとき、ユーザに収納上限量の一時的な変更を促す通知を行ってもよい。また、一時的な変更が行われたとき、所定のタイミングでその変更を解除するようにしてもよい。例えば、金種別収納部１８から紙幣を回収部１９に収納する処理を実行中に、ユーザが収納上限量の一時的な変更を行ったとき、回収部１９から紙幣が回収されたタイミングで、一時的な変更の解除を行えばよい。
【００６９】
（収納上限量を処理種別ごとに設定する例）
上の例では、回収部１９の収納上限量を金種ごとに設定するものとした。ただし、本開示において、金種は、収納上限量を個別に設定する種別の一例であり、金種以外の種別ごとに、収納上限量を設定する構成としてもかまわない。なお、本実施形態における「種別」は、識別部１１による識別結果、または、当該装置による処理結果のうち少なくともいずれかに基づくものである。
【００７０】
例えば、処理種別、すなわち、紙幣処理装置１による処理形態ごとに、収納上限量を設定する構成としてもよい。図７は処理種別ごとに設定した収納上限量の例である。図７の例では、入金処理時において、紙幣が損券であるとき、または、紙幣が金種別収納部１８に割り当てられていない金種であるときは、合わせて１５００枚が制限枚数として設定されている。一方、出金処理時において、紙幣がリジェクト券であるときは、制限枚数が設けられていない。また、回収部１９のトータルの制限枚数として、２５００枚が設定されている。このような設定によって、回収部１９の収納枚数として最低１０００枚が出金リジェクト紙幣用として確保される。なお、収納上限量を設定する処理種別としては、他にも例えば、入金オーバーフロー紙幣、金種別収納部１８からの紙幣回収などがある。また、搬送制御部３１は、回収部１９における紙幣の処理種別ごとの収納量を管理している。ここで、出金リジェクト紙幣は、紙幣処理装置１において、回収部１９にのみ収納されるものとしてもよい。
【００７１】
この場合の紙幣処理装置１の動作は、例えば次のようになる。入金処理時は図４に従って動作するものとする。紙幣が損券であるとき（Ｓ１３でＮｏ）、または、紙幣の金種が、金種別収納部１８のカセット１８ａ〜１８ｅのいずれも割り当てられていないとき（Ｓ１４でＮｏ）、ステップＳ１６にすすみ、搬送制御部３１は、記憶部４０から、回収部１９の収納上限量を読み出す。ここでは、図７に示したような処理種別ごとの制限枚数が収納上限量の設定値として読み出される。そして搬送制御部３１は、回収部１９における紙幣の収納量を、記憶部４０から読み出した収納上限量と比較し、回収部１９における紙幣の収納量が収納上限量以内に収まっているか否かを判定する（Ｓ１７）。このとき、回収部１９における紙幣の全体量について収納上限量と比較するとともに、搬送された紙幣の処理種別の収納量についても、収納上限量と比較する。そして、回収部１９における紙幣の収納量が、全体として、かつ、搬送された紙幣の処理種別について、収納上限量以内に収まっているときは（Ｓ１７でＹｅｓ）、搬送制御部３１は、紙幣が回収部１９に収納されるように、搬送部１６を制御する（Ｓ１８）。一方、回収部１９における紙幣の収納量が収納上限量以内に収まっていないときは（Ｓ１７でＮｏ）、搬送制御部３１は、紙幣が入金リジェクト部１４に搬送されるように、搬送部１６を制御する（Ｓ１９）。
【００７２】
出金処理時は図６に従って動作するものとする。紙幣が、紙幣が出金リジェクト紙幣（リジェクト券）であるときは（Ｓ３３でＹＥＳ）、ステップＳ３５にすすみ、搬送制御部３１は、記憶部４０から、回収部１９の収納上限量を読み出す。ここでは、図７に示したような処理種別ごとの制限枚数が収納上限量の設定値として読み出される。そして搬送制御部３１は、回収部１９における紙幣の収納量を、記憶部４０から読み出した収納上限量と比較し、回収部１９における紙幣の収納量が収納上限量以内に収まっているか否かを判定する（Ｓ３６）。このとき、回収部１９における紙幣の全体量について収納上限量と比較するとともに、出金リジェクト紙幣の収納量についても、収納上限量と比較する（ただし図７の例では制限なし）。そして、回収部１９における紙幣の収納量が、全体として、かつ、出金リジェクト紙幣として、収納上限量以内に収まっているときは（Ｓ３６でＹｅｓ）、搬送制御部３１は、出金リジェクト紙幣が回収部１９に収納されるように、搬送部１６を制御する（Ｓ３７）。一方、回収部１９における紙幣の収納量が収納上限量以内に収まっていないときは（Ｓ３６でＮｏ）、搬送制御部３１は、出金動作を停止する（Ｓ３８）。
【００７３】
このような構成および動作によって、各処理種別の紙幣は、記憶部４０に設定された収納上限量を超えて、回収部１９に収納されることがない。すなわち、回収部１９において、収納上限量が記憶された処理種別の紙幣の収納量を制限することができる。これにより、他の処理種別について、回収部１９における紙幣の収納量を確保することができる。したがって、特定の処理種別の紙幣が回収部１９を占めてしまい、他の処理種別の紙幣を回収部１９に収納できない、という事態を未然に防ぐことができる。
【００７４】
また、上の構成では、回収部１９は、金種別収納部１８とは別個に設けられており、少なくとも、出金処理において識別部１１によって出金が不適切であると識別された出金リジェクト貨幣を収納する第２収納部の一例である。そして、入金処理において、投入された紙幣が所定条件を満たすとき、搬送制御部３１は、当該紙幣が回収部１９に搬送されるよう、搬送部１６を制御する。ただしこの場合において、回収部１９の収納量が入金処理時における設定上限量（図７では１５００枚）に達しているとき、搬送制御部３１は、当該紙幣の回収部１９への搬送を制限する。このため、回収部１９において、入金処理時における紙幣の収納量を制限することができるので、出金リジェクト紙幣の収納量を確保することができる。
【００７５】
また、上の構成では、入金処理において、投入された紙幣を回収部１９に収納する所定条件は、紙幣が損券であること、紙幣が金種別収納部１８に割り当てられていないこと、とした。ただし、紙幣を回収部１９に収納する条件は、上に挙げたものに限られず、また、上に挙げたものを必須とするものでもない。例えば、入金オーバーフロー紙幣を回収部１９に収納するものとしてもよい。すなわち、所定条件は、金種別収納部１８における当該紙幣の金種の収納量が上限量に達していること、いずれの金種別収納部１８にも当該貨幣の金種が割り当てられていないこと、または、当該貨幣が識別部１１によって損券と識別されたこと、のうち少なくともいずれか１つを含む、としてもよい。
【００７６】
また、投入された紙幣を回収部１９に収納する所定条件は、設定上限量が互いに異なっている、複数の条件を含む、ものとしてもよい。例えば、所定条件は、紙幣が損券であること、紙幣が金種別収納部１８に割り当てられていないこと、を含み、紙幣が損券であるときの設定上限量を５００枚、紙幣が金種別収納部１８に割り当てられていないときの設定上限量を１０００枚としてもよい。
【００７７】
また、搬送制御部３１は、入金処理における、設定上限量に基づく回収部１９への紙幣搬送の制限を、解除可能なように構成されていてもよい。これにより、必要に応じて、入金処理における、設定上限量に基づく回収部１９への紙幣搬送の制限を、解除することができる。
【００７８】
（収納上限量を設定する他の例）
また、金種以外の紙幣のタイプ（例えば、正券と損券、新券と旧券など）ごとに、収納上限量を設定してもよい。この場合、紙幣全体でタイプごとに収納上限量を設定してもよいし、同じ金種において、タイプごとに収納上限量を設定してもよい。
【００７９】
また、金種ごとではなく、金種を基にした分類ごとに、収納上限量を設定してもよい。例えば、紙幣を金種に応じて高額紙幣と低額紙幣とに分けて、それぞれ収納上限量を設定してもよいし、流通量の多い金種と少ない金種とに分けて、それぞれ収納上限量を設定してもかまわない。また、複数の金種を合わせた収納上限量を設定するようにしてもよい。
【００８０】
また、上述したような種別を組み合わせて設定してもかまわない。例えば、ある金種の紙幣について、処理種別毎に収納上限量を変えてもよい。例えば、２０ドル札について、入金オーバーフロー紙幣は５００枚まで、損券は５００枚まで、トータルで１０００枚まで、というような設定をしてもよい。
【００８１】
（本開示における収納部の他の構成）
上の例では、収納部の一例としての回収部１９は、カセットタイプの構成からなるものとした。ただしこれに限られるものではなく、例えば、パウチ（袋）タイプであってもよいし、テープ式（ドラム）タイプであってもよい。また、回収部１９は、紙幣の収納のみを行い、操出機構は有しないものとしたが、操出可能な構成としてもよい。
【００８２】
また、回収部１９は、金種別収納部１８とは別に設けられているものとしたが、装置内に他の収納部が設けられていない構成の収納部に対して、上述したような収納上限量の設定を行ってもよい。この場合においても、収納部において、収納上限量が記憶された所定種別の紙幣の収納量を制限することができるので、複数の種別のうち所定種別以外の種別について、収納部における紙幣の収納量を確保することができる。
【００８３】
また、ここでは紙幣処理装置を例にとって説明を行ったが、硬貨処理装置についても、ここで説明した構成および動作を適用することによって、同様の作用効果を得ることができる。
【符号の説明】
【００８４】
１１  識別部
１２  入金部（投入部）
１３  出金部（投出部）
１６  搬送部
１８  金種別収納部
１９  回収部（収納部、第２収納部）
３０  制御部
３１  搬送制御部
３２  設定制御部
４０  記憶部
【図１】
2017058845.tif 000003
【図２】
2017058845.tif 000004
【図３】
2017058845.tif 000005
【図４】
2017058845.tif 000006
【図５Ａ】
2017058845.tif 000007
【図５Ｂ】
2017058845.tif 000008
【図５Ｃ】
2017058845.tif 000009
【図６】
2017058845.tif 000010
【図７】
2017058845.tif 000011